(57)【要約】【課題】ユーザ毎に権限の強弱を識別して、機密性を保持しつつ処理要求のユーザに対して適切な認証を求めて、操作性を向上させる。【解決手段】ログインと操作パネル表示の処理シーケンスとして操作パネル画面の「ログイン」押下で、表示するログイン画面からユーザ情報を入力してログイン処理しログイン状態を通知する。「プリンタ初期設定」押下でログインユーザが操作可能か判断し、操作可能のときプリンタ初期設定画面を表示し指示を行い、処理終了で初期設定画面を表示。また、「システム初期設定」押下でログインユーザが操作可能か確認する。操作不可と判断して先に得ていたログイン認証は破棄。操作の権限を持つユーザのログイン認証するログイン画面を表示。管理者の権限を持つユーザＢがログイン処理し認証されるとシステム初期設定画面を表示し、入力指示の処理を行う。各操作入力に応じ必要な認証を要求毎に判断して、適切かつ必要な認証を求める。【選択図】図５
2005335215.tif 000002
【特許請求の範囲】
【請求項１】
データを授受する通信インタフェースと、前記通信インタフェースを介して入力したデータを印刷処理する印刷手段と、登録ユーザの階層情報を含むユーザ情報を複数登録する登録手段とを有し、ユーザの要求する指定処理に対して前記ユーザ情報に基づくログイン処理の認証を要求する画像形成装置であって、
前記登録ユーザの階層情報に基づき複数ユーザのログイン処理の管理および前記ユーザの要求する指定処理の可否を管理する管理手段を備えたことを特徴とする画像形成装置。
【請求項２】
データを授受する通信インタフェースと、前記通信インタフェースを介して入力したデータを印刷処理する印刷手段と、登録ユーザの階層情報を含むユーザ情報を複数登録する登録手段とを有し、ユーザの要求する指定処理に対して前記ユーザ情報に基づくログイン処理の認証を要求する画像形成装置であって、
前記登録ユーザの階層情報に基づき複数ユーザのログイン処理の管理およびログインユーザの要求する指定処理の可否を管理して、管理者以外の前記ログインユーザの要求する指定処理が前記管理者のみ可能な場合に、前記ログインユーザの認証を破棄して新たなログイン処理の認証を求める管理手段を備えたことを特徴とする画像形成装置。
【請求項３】
データを授受する通信インタフェースと、前記通信インタフェースを介して入力したデータを印刷処理する印刷手段と、登録ユーザの階層情報を含むユーザ情報を複数登録する登録手段とを有し、ユーザの要求する指定処理に対して前記ユーザ情報に基づくログイン処理の認証を要求する画像形成装置であって、
前記登録ユーザの階層情報に基づき複数ユーザのログイン処理の管理およびログインユーザの要求する指定処理の可否を管理して、管理者以外の前記ログインユーザの要求する指定処理が前記管理者のみ可能な場合に、新たなログイン処理の認証を求めて新たな認証を得られたときには先に得ていた認証を廃棄し、前記新たな認証が得られないときには前記先に得ていた認証を保持する管理手段を備えたことを特徴とする画像形成装置。
【請求項４】
前記管理手段において、指定処理を実施するためのログイン処理の認証とは別に、指定処理を１度のみ実施するための一時的ログイン処理の認証を求めて、先のログインユーザの認証を廃棄することなく、前記一時的ログイン処理の認証を得たログインユーザの要求する指定処理の可否を管理することを特徴とする請求項１〜３のいずれか１項に記載の画像形成装置。
【請求項５】
前記管理手段において、指定処理を１度のみ実施するための一時的ログイン処理の認証を求めて、前記認証を得た管理者以外のログインユーザの要求する指定処理が前記管理者のみ可能な場合に、前記一時的ログイン処理の認証を破棄して新たに一時的ログイン処理の認証を求めることを特徴とする請求項４記載の画像形成装置。
【請求項６】
前記管理手段において、指定処理を１度のみ実施するための一時的ログイン処理の認証を求めて、前記認証を得た管理者以外のログインユーザの要求する指定処理が前記管理者のみ可能な場合に、新たに一時的ログイン処理の認証を求めて、新たな認証が得られたときには先に得ていた一時的ログイン処理の認証を廃棄し、前記新たな認証が得られなかったときには先に得ていた一時的ログイン処理の認証を保持することを特徴とする請求項４記載の画像形成装置。
【請求項７】
前記管理者のみ可能な指定処理が、装置に蓄積されて印刷処理するデータの全てを削除する処理であることを特徴とする請求項２〜６のいずれか１項に記載の画像形成装置。
【請求項８】
前記指定処理の選択を、管理者のみが指定を可能とするか、ログイン処理の認証を得た全てのログインユーザが指定を可能とするか設定できることを特徴とする請求項７記載の画像形成装置。
【請求項９】
前記指定処理の選択を、ログイン処理の認証を得ることなく指定を可能とする設定ができることを特徴とする請求項８記載の画像形成装置。
【請求項１０】
前記指定処理の選択を、指定可能とする対象の変更設定を管理者が行うことを特徴とする請求項８または９記載の画像形成装置。
【請求項１１】
前記指定処理の選択は、装置がサービス保守モードの場合に、全ての指定処理の選択を可能としたことを特徴とする請求項７〜１０のいずれか１項に記載の画像形成装置。
【請求項１２】
通信インタフェースを介し入力のデータを印刷処理する際に、登録ユーザの階層情報を含む複数のユーザ情報を有する登録手段を参照し、ユーザの要求する指定処理に対して前記ユーザ情報に基づいたログイン処理の認証を要求する画像形成装置の認証制御方法であって、
前記登録ユーザの階層情報に基づき管理する管理手段によって、複数ユーザのログイン処理の認証を管理し、かつログインユーザの要求する指定処理の可否を管理することを特徴とする画像形成装置の認証制御方法。
【請求項１３】
通信インタフェースを介し入力のデータを印刷処理する際に、登録ユーザの階層情報を含む複数のユーザ情報を有する登録手段を参照し、ユーザの要求する指定処理に対して前記ユーザ情報に基づいたログイン処理の認証を要求する画像形成装置の認証制御方法であって、
前記登録ユーザの階層情報に基づき管理する管理手段によって、複数ユーザのログイン処理の認証を管理し、かつログインユーザの要求する前記指定処理の可否の管理において、管理者以外のログインユーザの要求する指定処理が前記管理者のみ可能な場合に、前記ログインユーザの認証を破棄して新たなログイン処理の認証を求めることを特徴とする画像形成装置の認証制御方法。
【請求項１４】
通信インタフェースを介し入力のデータを印刷処理する際に、登録ユーザの階層情報を含む複数のユーザ情報を有する登録手段を参照し、ユーザの要求する指定処理に対して前記ユーザ情報に基づいたログイン処理の認証を要求する画像形成装置の認証制御方法であって、
前記登録ユーザの階層情報に基づき管理する管理手段によって、複数ユーザのログイン処理の認証を管理し、かつログインユーザの要求する前記指定処理の可否の管理において、管理者以外のログインユーザの要求する指定処理が前記管理者のみ可能な場合に、新たなログイン処理の認証を求めて新たな認証を得られたときには先に得ていた認証を廃棄し、前記新たな認証が得られないときには前記先に得ていた認証を保持することを特徴とする画像形成装置の認証制御方法。
【請求項１５】
前記指定処理を実施するためのログイン処理の認証とは別に、指定処理を１度のみ実施するための一時的ログイン処理の認証を求めて、先のログインユーザの認証を廃棄することなく、前記一時的ログイン処理の認証を得たログインユーザの要求する指定処理の可否を管理することを特徴とする請求項１２〜１４のいずれか１項に記載の画像形成装置の認証制御方法。
【請求項１６】
前記指定処理を１度のみ実施するための一時的ログイン処理の認証を求めて、前記認証を得た管理者以外のログインユーザの要求する指定処理が前記管理者のみ可能な場合に、前記一時的ログイン処理の認証を破棄して新たに一時的ログイン処理の認証を求めることを特徴とする請求項１５記載の画像形成装置の認証制御方法。
【請求項１７】
前記指定処理を１度のみ実施するための一時的ログイン処理の認証を求めて、前記認証を得た管理者以外のログインユーザの要求する指定処理が前記管理者のみ可能な場合に、新たに一時的ログイン処理の認証を求めて、新たな認証が得られたときには先に得ていた一時的ログイン処理の認証を廃棄し、前記新たな認証が得られなかったときには先に得ていた一時的ログイン処理の認証を保持することを特徴とする請求項１５記載の画像形成装置の認証制御方法。
【請求項１８】
前記管理者のみ可能な指定処理が、装置に蓄積されて印刷処理するデータの全てを削除する処理であることを特徴とする請求項１３〜１７のいずれか１項に記載の画像形成装置の認証制御方法。
【請求項１９】
前記指定処理の選択を、管理者のみが指定を可能とするか、ログイン処理の認証を得た全てのログインユーザが指定を可能とするか設定できることを特徴とする請求項１８記載の画像形成装置の認証制御方法。
【請求項２０】
前記指定処理の選択を、ログイン処理の認証を得ることなく指定を可能とする設定ができることを特徴とする請求項１９記載の画像形成装置の認証制御方法。
【請求項２１】
前記指定処理の選択を、指定可能とする対象の変更設定を管理者が行うことを特徴とする請求項１９または２０記載の画像形成装置の認証制御方法。
【請求項２２】
前記指定処理の選択は、装置がサービス保守モードの場合に、全ての指定処理の選択を可能としたことを特徴とする請求項１８〜２１のいずれか１項に記載の画像形成装置の認証制御方法。
【発明の詳細な説明】
【技術分野】
【０００１】
本発明は、ユーザの要求する指定処理に対してユーザ情報に基づくログイン処理の認証を要求し、機密性を保持しつつ適切な認証を求めて認証による煩わしさを軽減した画像形成装置およびその認証制御方法に関するものである。
【背景技術】
【０００２】
近年のネットワーク構築されたシステムに用いられる情報処理装置において、ネットワークに接続された機器間でデータの授受が容易に行われることから、データ、機器を共有する構成が使い勝手やコスト面から一般的になっている。このことから、ネットワーク上の機器間で授受される情報において、情報の機密化が進み画像形成装置である印刷装置の使用においても様々なかたちで制限をかけることが行われ、情報の漏洩や機器の不正な使用をさせないことが必要になってきている。そして、印刷装置に備わっている操作部からの入力指示に使用の制限をかけることも機密性確保のためには必要となっている。この機密性を確保して様々な情報を管理していく場合、管理者などといった管理の中心になる担当をたて、セキュリティポリシーを定めて運用していくケースがほとんどである。
【０００３】
このような場合には、管理者として強い権限を持ち通常のユーザが設定操作できないセキュリティポリシーを定めた、様々な基本設定などを行うことができる通常のユーザとは権限の異なったユーザ（管理者）が存在することになる。
【０００４】
ネットワークに接続された画像形成装置には、特許文献１に記載されるように複数ユーザが共有する画像形成装置において、出力された印刷物が他のユーザの目に触れることを避ける親展印刷機能として、上位装置より親展印刷設定がなされ画像形成装置に送信された親展文書を、作成したユーザが実際に画像形成装置の前でパスワード入力などの親展文書の操作資格を有することの認証後に、該当親展文書の印刷や削除の操作を可能としている。
【０００５】
また、特許文献２には、クライアント装置からの要求をネットワーク経由で受けて処理するネットワーク対応画像デバイスにおいて、ユーザ識別情報を添付してユーザ情報を基に使用量や使用時間などをカウントして機器使用状況を管理する。このとき、ユーザ識別情報等が設定されていない特定ジョブであっても、ネットワーク上の画像デバイスに正常な登録ユーザのジョブであることを認知させて出力処理させるため、オペレータ操作に基づき発生する特定ジョブに対してユーザ識別情報を添付し、この特定ジョブを画像デバイスに転送することが記載されている。
【０００６】
また、特許文献３には、画像形成装置における用紙ジャム発生時に、この用紙ジャムの解除後、該当頁の画像データを再作成して印刷出力するジャムバックアップ処理として、用紙サイズや排紙先を変更して出力すると共に、バックアップ処理を中止することを一元的に管理して、画像形成装置内に保持されている画像データの機密性を保持することが記載されている。
【特許文献１】特開２００３−２２６０４７号公報
【特許文献２】特開２００３−０５８３４３号公報
【特許文献３】特開２００１−３２８３２８号公報
【発明の開示】
【発明が解決しようとする課題】
【０００７】
しかしながら、このような構成の画像形成装置は、データの機密性を確保して様々な情報を管理していく場合、管理の中心になる担当によって定められたセキュリティポリシーに沿って運用するため、通常のユーザとは異なる管理者として、装置の操作に関わる通常のユーザでは行うことができない。処理操作や様々な基本設定などの強い権限を持つユーザ（管理者）が別に存在することになり、装置においてはこれらユーザを認識、管理する機能が必要となって、それに伴い装置における諸作業が煩雑となっている。
【０００８】
また、前述した特許文献１には、親展文書の再印刷時の機密保護することについて開示され文書単位の認証を行っているが、印刷実行中を含め装置に係る全ての処理の削除（リセット）等の操作を行うことはできない、また特許文献２には、要求処理を装置が受け付ける際の発生した要求処理に添付する認証設定を行うこと、さらに特許文献３には、画像形成装置の紙づまり発生時に装置内に保持するデータの機密性を保護することについて記載されているが、該当のデータ毎に認証処理を行っており、装置自体の操作に係る認証を得るものでなく、装置における操作を行うユーザに対して管理をするものではない。
【０００９】
本発明は、前記従来技術の課題を解決することに指向するものであり、画像形成装置の処理操作を行う上でユーザ毎に管理者ユーザと通常ユーザなどの権限の強弱を装置側で識別することにより、機密性を保持しつつ処理操作を要求したユーザに対して処理毎に破断し適切な認証を求めて、認証による煩わしさを軽減する画像形成装置およびその認証制御方法を提供することを目的とする。
【課題を解決するための手段】
【００１０】
この目的を達成するために、本発明に係る請求項１に記載される画像形成装置は、データを授受する通信インタフェースと、通信インタフェースを介して入力したデータを印刷処理する印刷手段と、登録ユーザの階層情報を含むユーザ情報を複数登録する登録手段とを有し、ユーザの要求する指定処理に対してユーザ情報に基づくログイン処理の認証を要求する画像形成装置であって、登録ユーザの階層情報に基づき複数ユーザのログイン処理の管理およびユーザの要求する指定処理の可否を管理する管理手段を備えた構成によって、要求された操作に応じた認証の強弱を判別し認証を求めることで、機密性を確保しつつも処理の認証強弱を意識することなく使用できる。
【００１１】
また、請求項２に記載される画像形成装置は、データを授受する通信インタフェースと、通信インタフェースを介して入力したデータを印刷処理する印刷手段と、登録ユーザの階層情報を含むユーザ情報を複数登録する登録手段とを有し、ユーザの要求する指定処理に対してユーザ情報に基づくログイン処理の認証を要求する画像形成装置であって、登録ユーザの階層情報に基づき複数ユーザのログイン処理の管理およびログインユーザの要求する指定処理の可否を管理して、管理者以外のログインユーザの要求する指定処理が管理者のみ可能な場合に、ログインユーザの認証を破棄して新たなログイン処理の認証を求める管理手段を備えた構成によって、要求された操作に応じた認証の強弱を判別して適切な認証を求めることで、機密性を確保しつつもユーザは処理の認証強弱を意識することなく使用することができる。
【００１２】
また、請求項３に記載される画像形成装置は、データを授受する通信インタフェースと、通信インタフェースを介して入力したデータを印刷処理する印刷手段と、登録ユーザの階層情報を含むユーザ情報を複数登録する登録手段とを有し、ユーザの要求する指定処理に対してユーザ情報に基づくログイン処理の認証を要求する画像形成装置であって、登録ユーザの階層情報に基づき複数ユーザのログイン処理の管理およびログインユーザの要求する指定処理の可否を管理して、管理者以外のログインユーザの要求する指定処理が管理者のみ可能な場合に、新たなログイン処理の認証を求めて新たな認証を得られたときには先に得ていた認証を廃棄し、新たな認証が得られないときには先に得ていた認証を保持する管理手段を備えた構成によって、より権限の強い認証が必要とする操作を行うときに、先に得ていた認証を次の認証が得られるまで保持して、次の認証が得られない場合に先に得ていた認証により操作を継続して処理でき、再度の認証作用を省略することができる。
【００１３】
また、請求項４に記載される画像形成装置は、請求項１〜３の画像形成装置の管理手段において、指定処理を実施するためのログイン処理の認証とは別に、指定処理を１度のみ実施するための一時的ログイン処理の認証を求めて、先のログインユーザの認証を廃棄することなく、一時的ログイン処理の認証を得たログインユーザの要求する指定処理の可否を管理する構成によって、一時的な認証を得る機能によって、先のログインユーザを一端ログアウト処理をすることなく、指定処理に関する処理を１度実施することができる。
【００１４】
また、請求項５に記載される画像形成装置は、請求項４の画像形成装置の管理手段において、指定処理を１度のみ実施するための一時的ログイン処理の認証を求めて、認証を得た管理者以外のログインユーザの要求する指定処理が管理者のみ可能な場合に、一時的ログイン処理の認証を破棄して新たに一時的ログイン処理の認証を求める構成によって、先に一時的認証が得られていても選択した操作に応じて適切な認証を求めて、ユーザが指定処理の認証強弱を意識することなく使用することができる。
【００１５】
また、請求項６に記載される画像形成装置は、請求項４の画像形成装置の管理手段において、指定処理を１度のみ実施するための一時的ログイン処理の認証を求めて、認証を得た管理者以外のログインユーザの要求する指定処理が管理者のみ可能な場合に、新たに一時的ログイン処理の認証を求めて、新たな認証が得られたときには先に得ていた一時的ログイン処理の認証を廃棄し、新たな認証が得られなかったときには先に得ていた一時的ログイン処理の認証を保持する構成によって、次の一時的認証が得られるまで先に得ていた一時的認証を保持して新たな一時的認証が得られなかった場合でも先の一時的認証による操作を続けることができる。
【００１６】
また、請求項７に記載される画像形成装置は、請求項２〜６の画像形成装置において、管理者のみ可能な指定処理が、装置に蓄積されて印刷処理するデータの全てを削除する処理とした構成によって、一般のユーザによって全てのデータを不用意に削除されることを防ぎ、必要に応じて状況を把握している管理者が削除することで、機密性を確保したデータ管理ができる。
【００１７】
また、請求項８〜１１に記載される画像形成装置は、請求項７の画像形成装置において、前記指定処理の選択を、管理者のみが指定を可能とするか、ログイン処理の認証を得た全てのログインユーザが指定を可能とするか設定できること、または、ログイン処理の認証を得ることなく指定を可能とする設定ができること、さらに、指定可能とする対象の変更設定を管理者が行うこと、また、指定処理の選択は、装置がサービス保守モードの場合に、全ての指定処理の選択を可能とした構成によって、実行中の全てのデータをリセット処理可能とする対象を管理者、ログイン処理で認証されたユーザ、あるいは何の認証も必要としない全てのユーザ等に適応範囲を管理者が装置の使用環境に応じた設定することができ、さらに保守作業時にはサービス用の特別なモードとしてログインして、実行中の全てのデータをリセット等の処理することができる。
【００１８】
また、請求項１２に記載される画像形成装置の認証制御方法は、通信インタフェースを介し入力のデータを印刷処理する際に、登録ユーザの階層情報を含む複数のユーザ情報を有する登録手段を参照し、ユーザの要求する指定処理に対してユーザ情報に基づいたログイン処理の認証を要求する画像形成装置の認証制御方法であって、登録ユーザの階層情報に基づき管理する管理手段によって、複数ユーザのログイン処理の認証を管理し、かつログインユーザの要求する指定処理の可否を管理する制御方法により、要求された操作に応じた認証の強弱を判別し認証を求めることで、機密性を確保しつつも処理の認証強弱を意識することなく使用できる。
【００１９】
また、請求項１３に記載される画像形成装置の認証制御方法は、通信インタフェースを介し入力のデータを印刷処理する際に、登録ユーザの階層情報を含む複数のユーザ情報を有する登録手段を参照し、ユーザの要求する指定処理に対してユーザ情報に基づいたログイン処理の認証を要求する画像形成装置の認証制御方法であって、登録ユーザの階層情報に基づき管理する管理手段によって、複数ユーザのログイン処理の認証を管理し、かつログインユーザの要求する指定処理の可否の管理において、管理者以外のログインユーザの要求する指定処理が管理者のみ可能な場合に、ログインユーザの認証を破棄して新たなログイン処理の認証を求める制御方法により、要求された操作に応じた認証の強弱を判別して適切な認証を求めることで、機密性を確保しつつもユーザは処理の認証強弱を意識することなく使用することができる。
【００２０】
また、請求項１４に記載される画像形成装置の認証制御方法は、通信インタフェースを介し入力のデータを印刷処理する際に、登録ユーザの階層情報を含む複数のユーザ情報を有する登録手段を参照し、ユーザの要求する指定処理に対してユーザ情報に基づいたログイン処理の認証を要求する画像形成装置の認証制御方法であって、登録ユーザの階層情報に基づき管理する管理手段によって、複数ユーザのログイン処理の認証を管理し、かつログインユーザの要求する指定処理の可否の管理において、管理者以外のログインユーザの要求する指定処理が管理者のみ可能な場合に、新たなログイン処理の認証を求めて新たな認証を得られたときには先に得ていた認証を廃棄し、新たな認証が得られないときには先に得ていた認証を保持する制御方法により、より権限の強い認証が必要とする操作を行うときに、先に得ていた認証を次の認証が得られるまで保持して、次の認証が得られない場合に先に得ていた認証で操作を継続して処理でき、再度の認証作用を省略することができる。
【００２１】
また、請求項１５に記載される画像形成装置の認証制御方法は、請求項１２〜１４の認証制御方法において、指定処理を実施するためのログイン処理の認証とは別に、指定処理を１度のみ実施するための一時的ログイン処理の認証を求めて、先のログインユーザの認証を廃棄することなく、一時的ログイン処理の認証を得たログインユーザの要求する指定処理の可否を管理する制御方法により、一時的な認証を得ることで、先のログインユーザを一端ログアウト処理をすることなく、指定処理に関する処理を１度実施することができる。
【００２２】
また、請求項１６に記載される画像形成装置の認証制御方法は、請求項１５の認証制御方法において、指定処理を１度のみ実施するための一時的ログイン処理の認証を求めて、認証を得た管理者以外のログインユーザの要求する指定処理が管理者のみ可能な場合に、一時的ログイン処理の認証を破棄して新たに一時的ログイン処理の認証を求める制御方法により、先に一時的認証が得られていても選択した操作に応じて適切な認証を求めて、ユーザが処理の認証強弱を意識することなく使用することができる。
【００２３】
また、請求項１７に記載される画像形成装置の認証制御方法は、請求項１５の認証制御方法において、指定処理を１度のみ実施するための一時的ログイン処理の認証を求めて、認証を得た管理者以外のログインユーザの要求する指定処理が管理者のみ可能な場合に、新たに一時的ログイン処理の認証を求めて、新たな認証が得られたときには先に得ていた一時的ログイン処理の認証を廃棄し、新たな認証が得られなかったときには先に得ていた一時的ログイン処理の認証を保持する制御方法により、次の一時的認証が得られるまで先に得ていた一時的認証を保持して新たな一時的認証が得られなかった場合でも先の一時的認証による操作を続けることができる。
【００２４】
また、請求項１８に記載される画像形成装置の認証制御方法は、請求項１３〜１７の認証制御方法において、管理者のみ可能な指定処理が、装置に蓄積されて印刷処理するデータの全てを削除する処理としたことによって、一般のユーザによって全てのデータを不用意に削除されることを防ぎ、必要に応じて状況を把握している管理者が削除することで、機密性を確保したデータ管理ができる。
【００２５】
また、請求項１９〜２２に記載される画像形成装置の認証制御方法は、請求項１８の認証制御方法において、前記指定処理の選択を、管理者のみが指定を可能とするか、ログイン処理の認証を得た全てのログインユーザが指定を可能とするか設定できること、または、ログイン処理の認証を得ることなく指定を可能とする設定ができること、さらに、指定可能とする対象の変更設定を管理者が行うこと、また、指定処理の選択は、装置がサービス保守モードの場合に、全ての指定処理の選択を可能とした制御方法により、実行中の全てのデータをリセット処理可能とする対象を管理者、ログイン処理で認証されたユーザ、あるいは何の認証も必要としない全てのユーザ等に適応範囲を管理者が装置の使用環境に応じた設定することができ、さらに保守作業時にはサービス用の特別なモードとしてログインして、実行中の全てのデータをリセット等の処理することができる。
【発明の効果】
【００２６】
以上説明したように、本発明によれば、管理者ユーザと通常ユーザなどの権限の強弱を装置側で識別して、機密性を保持しつつ処理操作を要求したログインユーザに対して適切な認証を求めて、処理毎に認証を意識して行うことなく認証による煩わしさを軽減できるという効果を奏する。
【発明を実施するための最良の形態】
【００２７】
以下、図面を参照して本発明における実施の形態を詳細に説明する。
【００２８】
図１は本発明の実施の形態１における画像形成装置の一例として複合機の概略構成を示めすブロック図である。本実施の形態１では画像形成装置として複合機を示しているが印刷機構を備えた印刷装置等であっても良い。また、図１は本実施の形態１における各機能のソフトウェアとして、それぞれの適応範囲を説明上の一例として示しており、その構成単位はこれより単純であっても複雑であっても良い。
【００２９】
図１に示すように、本実施の形態１の複合機１はデータを受信するインタフェース７と、操作部の表示および入力を行うタッチパネル等で構成される操作パネル１０のハードウェア資源を持つ。各コントロールサービス（ＮＣＳ３，ＵＣＳ４，ＳＣＳ５，ＯＣＳ６）および各アプリケーション２（プリンタ，コピー，ファクシミリ，スキャナー）の機能モジュールは複合機に搭載されているＯＳ（オペレーションシステム）上で起動され、接続されたハードウェア資源の制御，設定情報の管理，画面の表示要求等を行う。
【００３０】
ホストコンピュータ１２〜１６から送信されたデータはネットワーク回線１１を経由してインタフェース７より複合機１に入力される。入力されたデータはＮＣＳ（ネットワークコントロールサービス）３にて処理され、他のコントロールサービスまたは各アプリケーション２に送られる。
【００３１】
操作パネル１０より入力されたデータはＯＣＳ（オペレーションパネルコントロールサービス）６にて処理され、他のコントロールサービスまたは各アプリケーションに送られる。また、ＵＣＳ（ユーザインフォメーションコントロールサービス）４はＮＣＳ３やＯＣＳ６より送られてくるユーザ情報に関するデータを受け取ってアドレス帳８に登録を行う。また、ＵＣＳ４はログイン処理による認証一致の判定など認証処理も行う。ＳＣＳ（システムコントロールサービス）５は複合機１のシステム全体に関わる基本設定９の管理、保存などを行う。
【００３２】
ここで具体的な処理として、予めＵＣＳ４によりインタフェース７または操作パネル１０からアドレス帳８に管理者の権限を持たないユーザＡと管理者の権限を持つユーザＢが登録してあるとする。図２（ａ）には複合機にログイン処理する際の操作パネルに表示される操作パネル画面の一例、図２（ｂ）にはログインキー押下後に遷移したログイン画面の一例を示す図である。
【００３３】
また、図３（ａ）は、操作パネル画面を示し、図３（ｂ）は、図３（ａ）において、管理者の権限を持たなくても操作できる「プリンタ初期設定」のキーを押下した後に移行するプリンタ初期設定画面を示す、図４（ａ）は操作パネル画面で、管理者の権限を持ったユーザの認証を必要とする「システム初期設定」のキーを押下した場合に、図４（ｂ）に示すログイン画面に移行する遷移を示す図である。さらに、図５はログイン処理、操作パネルの各設定キー入力により遷移する各処理、および再ログイン処理の動作を示すシーケンス図、また図６は処理動作を示すフローチャートである。
【００３４】
以下、本実施の形態１の各処理動作について、図１〜図５を参照しながら図６のフローチャートに基づきその動作を説明する。
【００３５】
まず、ユーザ登録として図５のユーザ登録の処理シーケンスに示すように、図１の複合機１のアドレス帳８にログインユーザの登録として、ホストコンピュータ１２からネットワーク回線１１とインタフェース７を介して、ＮＣＳ３，ＳＣＳ５およびＵＣＳ４によってアドレス帳８にユーザＡ，Ｂの階層情報を含むユーザ情報の登録を行う。この例でユーザＡは、ホストコンピュータ１２からネットワーク回線１１を介しＮＣＳ３，ＯＣＳ６，ＳＣＳ５を経てＵＣＳ４によりアドレス帳８に登録され、ユーザＢは操作パネル１０からＯＳＣ６，ＳＣＳ５を経てＵＣＳ４によりアドレス帳８に登録される。
【００３６】
以上のユーザ登録がなされた状態での、図５のユーザＡのログインと操作パネル表示の処理シーケンスについて図６のフローチャートに基づき説明する。図２（ａ）に示す操作パネル画面２０において「ログイン」のキー２１を押下されると、図２（ｂ）に示すログイン画面２４を表示する。
【００３７】
図６のフローチャートに示すように、操作パネル１０に表示されている操作パネル画面２０のいずれかのキー押下により（Ｓ１）、ＯＣＳ６はキー押下された制御を行う対象の機能モジュール等（各コントロールサービスまたは各アプリケーション）に伝達する（Ｓ２）。対象の機能モジュールは、ユーザのキー押下した操作について処理の可否をＵＣＳ４に問い合わせる（Ｓ３）。これを受けたＵＣＳ４は、現在の装置におけるユーザのログイン状態から、例えば後述するログインユーザ毎の各処理実行の権限を設定登録した使用権限リストを参照して、該当する処理の可否を返答する（Ｓ４）。処理の可否を受けた機能モジュールは結果を用いて判断を行い（Ｓ５）、処理可能のとき（Ｓ５のＹｅｓ）、機能モジュールの次画面の表示を操作パネル１０にする（Ｓ６）。
【００３８】
例えば、図５のログイン処理シーケンスとして、操作パネル画面２０のログインキー２１が押下されると、処理Ｓ１〜Ｓ５で説明した各処理により処理の可否が確認され、処理Ｓ６として、ログイン画面２４が表示され、このログイン画面２４におけるユーザ名の入力エリア２５に「ユーザＡ」、パスワードを入力エリア２６に「パスワード」を入力して複合機１へのログイン処理を行う。
【００３９】
このログイン処理は、入力されたユーザＡのユーザ情報が、ＵＣＳ４によりアドレス帳８の情報と照合確認されてログイン処理の可否が判断される。ユーザＡの確認がなされログインが成功すると、入力されたユーザ名を例えば操作パネル画面２０（初期設定画面）に表示してログインの状態を通知する。また、他の通知例として図３（ａ）に示すように「ログイン」のキー２１の表示を「ログアウト」と変更しても良い。
【００４０】
次に、前述したユーザＡのログイン状態において、図５に示すプリンタ初期設定の処理シーケンスを説明する。図３（ａ）に示す操作パネル画面２０において、管理者の権限を持たなくても操作可能な「プリンタ初期設定」のキー２２が押下されると、図３（ｂ）に示すプリンタ初期設定画面２７に移行する。このとき、図６に示した処理Ｓ１〜Ｓ５がなされ、ＯＣＳ６からＳＣＳ５を介して指示された操作がＵＣＳ４からの返答により現在のログインユーザで操作可能か否かを判断する。この処理Ｓ５にて操作可能と判断された場合（処理Ｓ５のＹｅｓ）、該当する処理画面（プリンタ初期設定画面２７）を表示して（Ｓ６）、ユーザの入力指示を待つ状態となる。その後、処理の終了により例えば「終了」のキー２８の押下によって、これを受けたＳＣＳ５からの制御で操作パネル画面２０に初期設定画面（図３（ａ）参照）を表示する。
【００４１】
また次に、図５に示すシステム初期設定の処理シーケンスを説明する。前述と同様なログイン状態において、図４（ａ）に示す操作パネル画面２０の「システム初期設定」のキー２３を押下された場合、このシステム初期設定が管理者の権限を持ったユーザの認証を必要とする操作のときには、前述のプリンタ初期設定時と同様に現在のログインユーザで操作可能か否かを確認判断される（Ｓ５）。この場合は操作可能なログインユーザではなく操作不可と判断される（処理Ｓ５のＮｏ）。このとき、先にログインしているユーザの有無を確認して（Ｓ７）、ログインしているユーザが確認されると（処理Ｓ７のＹｅｓ）、先に得ていたユーザＡのログイン認証の破棄をＵＣＳ４に要求し破棄される（Ｓ８）。
【００４２】
該当する操作が可能な権限を持つユーザによるログイン認証を行うため、図４（ｂ）のログイン画面２４を表示する（Ｓ９）。また、処理Ｓ７において、ログインユーザがいない場合（処理Ｓ７のＮｏ）、前記処理Ｓ９のログイン画面を表示する。
【００４３】
このログイン画面において、ユーザ名の入力エリア２５に管理者の権限を持つユーザＢ、およびパスワードを入力エリア２６にパスワードを入力して複合機１へのログイン処理を行う（Ｓ１０）。処理Ｓ１０のログイン処理を行った後、再度、機能モジュールにおける処理の可否を合わせるため処理Ｓ３へ移る。
【００４４】
前述の処理Ｓ３〜Ｓ５で説明した処理を行って、処理が可能と判断されると（Ｓ５のＹｅｓ）、処理Ｓ６の次画面の表示であるシステム初期設定画面の表示を行ってユーザの入力指示を待つ状態となる。
【００４５】
以上に述べた操作パネルから各設定キーの入力によって必要とされる権限を持つユーザのログイン処理の要否を、複合機１においてユーザから要求された処理毎に判断でき、処理操作を要求したユーザに対して適切な認証を求めて認証による煩わしさを軽減することができる。
【００４６】
なお、選択した処理が管理者の権限を持つユーザのログインを必要とし、現在のログインユーザでの操作可能か否かの確認は、例えばＵＣＳ４のログインユーザの管理を行うための階層情報に関係付けられた指定処理のテーブルとして、例えば（表１）の使用権限リストに示すように、操作パネル１０に表示する各キー名称と装置にログインしているユーザに対応した可否のリストを設けて、これを参照することで管理する。また、指定された処理の可否判断は、後述する管理者によってテーブルの設定変更を行うものとする。
【００４７】
【表１】
2005335215.tif 000003
また、図７はＵＣＳにおける処理の可否確認を行う処理動作を示すフローチャートである。ＵＣＳ４においては、前述の図６に示す処理Ｓ３において行われる機能モジュールから処理の可否の問い合わせを受理し（Ｓ１１）、操作パネル画面上のキー押下された情報等を受け（Ｓ１２）、さらに、ＵＳＣ内部に保存されているログインしているユーザに関する権限の情報を読み出す（Ｓ１３）。前述の（表１）に示す使用権限リストからキー項目の１つを取り出す（Ｓ１４）。取り出したキー項目が該当するものか確認し（Ｓ１５）、該当しない場合（Ｓ１５のＮｏ）、処理Ｓ１４に戻り次のキー項目を取り出し、該当した場合（Ｓ１５のＹｅｓ）、ログインユーザの権限に一致する可否情報を読み出す（Ｓ１６）。処理の可否を機能モジュールに返答する（Ｓ１７）。
【００４８】
次に、図８は本発明の実施の形態２における処理動作を示すシーケンス図であり、図９は処理動作を示すフローチャートである。本実施の形態２について、図８を参照しながら図９のフローチャートに基づきその動作を説明する。本実施の形態２においても、前述の実施の形態１で説明したようにユーザ登録がなされた状態で、図８に示すユーザＡでログインした状態からシステム初期設定の処理を行う処理シーケンスを説明する。
【００４９】
図６と同様に図９のフローチャートに示すように、操作パネル１０に表示されている操作パネル画面２０のいずれかのキー押下により（Ｓ２１）、ＯＣＳ６はキー押下された制御を行う対象の機能モジュールに伝達する（Ｓ２２）。対象の機能モジュールは、ユーザのキー押下した操作について処理の可否をＵＣＳ４に問い合わせる（Ｓ２３）。これを受けたＵＣＳ４は、現在の装置におけるユーザのログイン状態から、該当する処理の可否を返答する（Ｓ２４）。これを受けた機能モジュールは結果から判断を行う（Ｓ２５）。
【００５０】
いま、ユーザＡのログイン状態において、図４（ａ）に示す操作パネル画面２０の「システム初期設定」のキー２３を押下された場合、このシステム初期設定が管理者の権限を持ったユーザの認証を必要とする操作のとき、現在のログインユーザで操作可能か否かを確認する。操作可能なログインユーザではなく操作不可と判断（処理Ｓ２５のＮｏ）のとき、本実施の形態２においては、操作可能な権限を持つユーザによるログイン認証を行うため、図４（ｂ）のログイン画面２４を表示する（Ｓ２９）。
【００５１】
このログイン画面２４において、ユーザ名の入力エリア２５に管理者の権限を持つユーザＢ、およびパスワードを入力エリア２６にパスワードを入力して複合機１へのログイン処理を行う（Ｓ３０）。処理Ｓ３０のログイン処理を行った後、再度、機能モジュールにおける処理の可否を合わせるため処理Ｓ２３へ移る。
【００５２】
ユーザＢのログイン処理を行い（Ｓ３０）認証が得られて、処理が可能なとき（処理Ｓ２５のＹｅｓ）、先にログインしているユーザの有無を確認し（Ｓ２６）、本実施の形態２ではユーザＡがログインしているため（処理Ｓ２６のＹｅｓ）、先にログインしていたユーザＡの認証を破棄するログアウト処理を行って（Ｓ２７）、また先にログインしているユーザがいないとき（処理Ｓ２６のＮｏ）、次画面のキーを押下した「システム初期設定」の操作画面を表示する（Ｓ２８）。この画面からユーザＢにより入力指示される操作に基づき処理を行うことができる。
【００５３】
次に、図１０は本発明の実施の形態３におけるデータの印刷処理（以下、ジョブという）実行中の操作パネルに表示される（ａ）はジョブ動作中の画面、（ｂ）はジョブリセット要求時の画面、（ｃ）は印刷中ジョブリセット選択時の画面、（ｄ）は全ジョブリセット選択時の画面の遷移を示す図であり、図１１は本実施の形態３の処理中のジョブリセット動作を示すシーケンス図である。また、図１０（ａ）の操作パネル画面の通常画面３０は図１に示すＳＣＳ５で稼動するプリンタのアプリケーション２により制御される場合を例としている。
【００５４】
本実施の形態３について、図１０，図１１を参照しながらその動作を説明する。本実施の形態３において、ユーザ登録がなされたユーザＡがログインした状態で（図１１のログインの処理シーケンス参照）、印刷出力するデータを受けた複合機の操作パネル画面には、図１０（ａ）に示すようにジョブ中の通常画面３０が表示されている。
【００５５】
ここで、通常画面３０において「ジョブリセット」のキー３１が押下されると、図１０（ｂ）のジョブ停止画面３２が表示され、この画面からさらに次の処理へ入力指示を促す各キーの「印刷中ジョブ」のキー３３，「全ジョブ」のキー３４，「印刷継続」のキー３５が選択可能である。ジョブ停止画面３２からいずれかの処理が選択されると現在のログインユーザで操作可能か否かの確認が行われる。例えば、「印刷継続」処理はログインユーザの持つ権限に関係なく通常画面３０に戻り、「印刷中ジョブ」処理は現在のログインユーザで可能な処理として、「全ジョブ」処理は管理者の権限を必要とする処理である等の図１に示すＵＳＣ４のユーザ情報と関係付けられたテーブル等を参照して確認が行われる。
【００５６】
いま、図１１の全ジョブ選択時の処理シーケンスに示すように、図１０（ｂ）の「全ジョブ」のキー３４が押下されると、前述の図９の処理Ｓ２３で説明したように現在のログインユーザにおいて処理可能かＵＣＳ４で確認され、「全ジョブ」選択の場合は図１０（ｄ）に示す操作する権限のある新たなユーザの認証を求めるログイン画面を表示する。この画面から入力されるユーザＢの認証を行って（図１１のログイン（ユーザＢ）の処理シーケンス参照）認証されると、再度ログインユーザにおいて要求された「全ジョブ」処理が操作可能か確認を行う。
【００５７】
ＵＣＳ４にて操作可能と判断されると、先のログインしていたユーザＡのログアウト処理を行うと共に、全ジョブ停止画面（例えば、図１０（ｃ）に示すような画面に全ジョブの情報を表示した画面）を表示し、最終的に処理を続行する入力指示を待つ。
【００５８】
次に、図１２は本発明の実施の形態４におけるジョブ（データの印刷処理）実行中の操作パネルに表示される（ａ）はジョブ動作中の画面、（ｂ）はジョブリセット要求時の画面、（ｃ）は印刷中ジョブリセット選択時の画面、（ｄ）は全ジョブリセット選択時の画面の遷移を示す図である。図１２（ｄ）に示すように、前述の実施の形態３における図９（ｄ）のログイン画面２４に代えてワンショット認証画面３７としている。また、図１３は本実施の形態４のジョブリセット動作を示すシーケンス図である。
【００５９】
本実施の形態４では、前述の実施の形態３のログイン中のユーザＡでは操作できない処理を行うために、後からログインするユーザＢによって行う処理を１回のみ行って完了後は、元のログインユーザ（ユーザＡ）のログイン状態に戻す処理を行う。
【００６０】
例えば、現在ログイン中のユーザＡによって送信されたジョブに対して、図１２（ａ）に示す通常画面３０から「ジョブリセット」のキー３１を押下すると、図１２（ｂ）のジョブ停止画面３２が表示される。さらにジョブ停止画面３２において、現在処理中のジョブをリセットするため「印刷中ジョブ」のキー３３を押下すると、次の印刷中ジョブ停止画面３６が表示され、最終的に選択した処理の確認が行われる。
【００６１】
一方、「全ジョブ」のキー３４を押下した場合にはユーザＡには権限がなく実行することができないため、この処理を行うためにログイン処理するワンショット認証画面３７（図１２（ｄ）参照）が表示される。ここで権限のあるユーザＢのユーザ名を入力エリア３８にパスワードを入力エリア３９に入力し認証を得た場合に全ジョブリセットを行うことができる（図１３の全ジョブ選択時の処理シーケンス参照）。
【００６２】
ユーザＢによる全ジョブリセットの処理が実行されると、ワンショット認証によりログインしたユーザＢは処理の終了後にログアウト処理が行われ、先にログインしていたユーザＡのログイン状態となる。
【００６３】
次に、図１４は本発明の実施の形態５におけるジョブ実行中の操作パネル画面に表示される（ａ）はジョブ動作中の画面、（ｂ）はジョブリセット要求時の画面、（ｃ）は印刷中ジョブまたは全ジョブリセット選択時の画面の遷移を示す図である。また、図１５は本実施の形態５の処理中のジョブリセット動作を示すシーケンス図である。
【００６４】
本実施の形態５においては、「ジョブリセット」キー３１の押下された後のジョブ停止画面３２において、「印刷中ジョブ」キー３３または「全ジョブ」キー３４を選択した場合に、実施の形態４で説明したワンショット認証画面３７を表示して、それぞれの処理を認証を得られた場合に選択した処理が１回のみ行われるようにしたものである。
【００６５】
いま、ログインユーザのいない状態において、「ジョブリセット」キー３１を押下するとジョブ停止画面３２が表示される。さらに「印刷中ジョブ」キー３３を押下するとワンショット認証画面３７が表示される（図１４（ｃ）参照）。ここでユーザＡがユーザ名を入力エリア３８にパスワードを入力エリア３９に入力し認証が得られると、例えば図１０（ｃ）に示す印刷中ジョブ停止画面３６が表示される。
【００６６】
この例では、印刷中ジョブのリセットをせずに「消去しない」キー４０を押下すると操作パネル画面はジョブ停止画面３２に戻る。この状態で「全ジョブ」キー３４を押下すると、ログイン中のユーザＡにより選択した全ジョブリセットの処理が可能か確認される。ユーザＡには権限がなく操作不可であるとき、再びワンショット認証画面３７を表示する。このとき、先のユーザＡの認証を破棄する。
【００６７】
続けて、ワンショット認証画面３７から権限を持つユーザＢのユーザ名を入力エリア３８に、パスワードを入力エリア３９に入力により認証が得られると、全ジョブリセットを行うことができる。
【００６８】
また、本実施の形態５における別の例として、図１６に示す処理中のジョブリセット動作を示すシーケンス図に示すように、前述の図１５のシーケンス図での説明では、ログイン中のユーザＡにより選択した全ジョブリセット処理が、ユーザＡには権限がなく操作不可であるとき、ワンショット認証画面３７を表示して、先のユーザＡの認証を破棄し、ワンショット認証画面３７から権限を持つユーザＢの認証を得る処理シーケンスとしていたが、この別の例では、先にユーザＢにより認証が得られることを確認し、その後ユーザＡの認証を破棄するようにしたものである。
【００６９】
もし、ユーザＢの認証が得られなかった場合に、ユーザＡの認証を保持しておくことにより再度ユーザＡの認証を得るためログイン処理を行う必要がなく、操作ミスによる再認証をする手間を省き操作性を向上することができる。
【００７０】
図１７は本発明の実施の形態６における認証を要求するジョブリセットの操作許可するユーザ設定を行う操作パネル画面に表示される（ａ）はシステム初期設定の画面、（ｂ）はジョブリセット許可設定の画面を示す図である。
【００７１】
前述した各実施の形態において、全ジョブのリセット可能なユーザとして管理者であるという前提で説明したが、本実施の形態６では全ジョブのリセット可能なユーザの適応範囲を管理者によって設定を変更することができる。図１７（ａ）は、全ジョブのリセット可能なユーザとして適応範囲を変更するシステム初期設定画面５０の一例で、例えば図４（ａ）に示した、初期設定画面からログイン処理を管理者であるユーザＢにより行って、「システム初期設定」のキー２３を押下すると図１７（ａ）で示されるシステム初期設定画面５０が表示される。
【００７２】
さらに、システム初期設定画面５０の「ジョブリセット許可設定」を選択するキー５１を押下すると、図１７（ｂ）に示すジョブリセット許可設定画面５２に移行する。ここで例えば「ユーザ全て」のキー５３を選択して設定を行う。この設定とすることによって、各実施の形態において説明した管理者であるユーザＢだけでなく一般にログイン処理を行って認証されたユーザＡも全ジョブのリセットの実行が可能になる。
【００７３】
また、図１７（ｂ）のジョブリセット許可設定画面５２に示す「認証なし」のキー５４を押下することにより、ログイン処理の認証を要求することなく、全てのユーザが全ジョブのリセットを行うことを可能とすることもできる。さらに、装置の修理や調整を行うサービス保守モードのときには、保守作業が優先されることから、処理中の全てのデータを削除できる等の管理者の行うことができる操作を全て実施できる。この場合に、通常のログイン処理とは異なる方法として、例えば特殊なコマンドの「数字の（１）キー押下後、（２）キー押下後、（３）キー押下」といった操作を行った場合にサービス用の特別なモードで装置にログインすることができ、このモードでログインしている場合には認証を得なくてもジョブリセット等の各指定処理の選択が可能になる。
【００７４】
また、図示しないが、ジョブリセット許可設定画面５２において、各管理者，各ユーザ等のユーザＩＤ、パスワード等を登録、変更設定を行うとともに、この情報に関係付けた装置にて実行する各指定処理を登録したテーブル（使用権限リスト）を設けて、図１に示すＵＳＣ４の管理するアドレス帳８に登録する。
【産業上の利用可能性】
【００７５】
本発明に係る画像形成装置は、管理者ユーザと通常ユーザなどの権限の強弱を装置側で識別して、機密性を保持しつつ処理操作を要求のユーザに対して適切な認証を求めて、認証による煩わしさを軽減でき、印刷出力するデータの機密性を確保した情報管理する印刷装置に用いて有用である。
【図面の簡単な説明】
【００７６】
【図１】本発明の実施の形態１における画像形成装置の一例として複合機の概略構成を示めすブロック図
【図２】本実施の形態１における複合機にログイン処理する（ａ）は操作パネル画面、（ｂ）はログイン画面の一例を示す図
【図３】本実施の形態１における（ａ）は操作パネル画面、（ｂ）は「プリンタ初期設定」のキー押下後のプリンタ初期設定画面を示す図
【図４】本実施の形態１における（ａ）は操作パネル画面、（ｂ）は「システム初期設定」のキーを押下後のログイン画面を示す図
【図５】本実施の形態１における各処理動作を示すシーケンス図
【図６】本実施の形態１における処理動作を示すフローチャート
【図７】本実施の形態１における可否確認の処理動作を示すフローチャート
【図８】本発明の実施の形態２における処理動作を示すシーケンス図
【図９】本実施の形態２における処理動作を示すフローチャート
【図１０】本発明の実施の形態３における（ａ）はジョブ動作中の画面、（ｂ）はジョブリセット要求時の画面、（ｃ）は印刷中ジョブリセット選択時の画面、（ｄ）は全ジョブリセット選択時の画面を示す図
【図１１】本発明の実施の形態３における処理動作を示すシーケンス図
【図１２】本発明の実施の形態４における（ａ）はジョブ動作中の画面、（ｂ）はジョブリセット要求時の画面、（ｃ）は印刷中ジョブリセット選択時の画面、（ｄ）は全ジョブリセット選択時の画面を示す図
【図１３】本発明の実施の形態４における処理動作を示すシーケンス図
【図１４】本発明の実施の形態５における（ａ）はジョブ動作中の画面、（ｂ）はジョブリセット要求時の画面、（ｃ）は印刷中ジョブまたは全ジョブリセット選択時の画面を示す図
【図１５】本発明の実施の形態５における処理動作を示すシーケンス図
【図１６】本発明の実施の形態５における別の例の処理動作を示すシーケンス図
【図１７】本発明の実施の形態６における（ａ）はシステム初期設定の画面、（ｂ）はジョブリセット許可設定の画面を示す図
【符号の説明】
【００７７】
１  複合機
２  アプリケーション
３  ＮＣＳ
４  ＵＣＳ
５  ＳＣＳ
６  ＯＣＳ
７  インタフェース
８  アドレス帳
９  基本設定
１０  操作パネル
１１  ネットワーク回線
１２，１３，１４，１５，１６  ホストコンピュータ
２０  操作パネル画面
２１  ログイン（ログアウト）キー
２２  システム初期設定キー
２５，３８  ユーザ名入力エリア
２６，３９  パスワード入力エリア
２８  終了キー
３０  通常画面
３１  ジョブリセットキー
３２  ジョブ停止画面
３３  印刷中ジョブキー
３４  全ジョブキー
３５  印刷継続キー
３６  印刷ジョブ停止画面
３７  ワンショット認証画面
４０  消去しないキー
５０  システム初期設定画面
５１  ジョブリセット許可キー
５２  ジョブリセット許可設定画面
５３  ユーザ全てキー
５４  認証なしキー
【図１】
2005335215.tif 000004
【図２】
2005335215.tif 000005
【図３】
2005335215.tif 000006
【図４】
2005335215.tif 000007
【図５】
2005335215.tif 000008
【図６】
2005335215.tif 000009
【図７】
2005335215.tif 000010
【図８】
2005335215.tif 000011
【図９】
2005335215.tif 000012
【図１０】
2005335215.tif 000013
【図１１】
2005335215.tif 000014
【図１２】
2005335215.tif 000015
【図１３】
2005335215.tif 000016
【図１４】
2005335215.tif 000017
【図１５】
2005335215.tif 000018
【図１６】
2005335215.tif 000019
【図１７】
2005335215.tif 000020